(57)【特許請求の範囲】
【請求項１】
電線導体を絶縁被覆で被覆し、先端側の前記絶縁被覆を剥がして露出させた導体露出部を有する電線先端部を備えた被覆電線と、
前記電線先端部のうち少なくとも前記導体露出部を圧着する圧着許容部を構成するバレル片とバレル底面を備えた圧着端子とで構成した接続構造体であって、
前記バレル片を、前記バレル底面の幅方向の両側に配置し、
前記バレル片を、前記導体露出部分の長さより長手方向の長さを長く形成するとともに、前記導体露出部から前記絶縁被覆の先端までを連続して一体的に囲繞するように、長手方向に連続して形成し、
前記圧着許容部を圧着状態とした圧着部に、少なくとも前記一対のバレル片の一部が互いに重ね合わされたバレル重合部分を形成し、
前記バレル重合部分のうち、外側に位置するバレル片を外側バレル片に設定するとともに、前記外側バレル片の内側に位置するバレル片を内側バレル片に設定し、
前記バレル重合部分における前記内側バレル片の少なくとも一部分に、前記内側バレル片の他の部分と比較して突状である突状部を構成するとともに、前記バレル重合部分における前記外側バレル片の少なくとも一部分に、前記突状部を巻き込むように折り返して締め付ける折返し締付部を構成し、
圧着状態における前記バレル片と前記バレル底面との対向部分に、互いを係合する係合部を形成した
接続構造体。
【請求項２】
前記圧着部のうち、少なくとも前記折返し締付部を、
前記圧着部における他の部分と比較して薄い肉厚で形成した
請求項１に記載の接続構造体。
【請求項３】
前記外側バレル片を前記内側バレル片よりも突出方向に長く形成した
請求項１または２に記載の接続構造体。
【請求項４】
前記外側バレル片と前記内側バレル片との突出方向の長さを略同じ長さに形成した
請求項１または２に記載の接続構造体。
【請求項５】
前記バレル部における前記バレル重合部分の少なくとも一部に、シール層を形成した
請求項１乃至４のうちいずれかに記載の接続構造体。
【請求項６】
前記圧着許容部における前記バレル底面の幅方向の端部から前記バレル片の基部にかけての少なくとも一部分に、前記バレル片を前記バレル底面側へ折り曲げるバレル折り曲げ部分を長手方向に沿って構成し、
前記突状部を、前記バレル折り曲げ部分に構成した
請求項１乃至５のうちいずれかに記載の接続構造体。
【請求項７】
前記突状部を、
前記内側バレル片の先端部に構成した
請求項１乃至５のうちいずれかに記載の接続構造体。
【請求項８】
前記バレル重合部分を、該バレル重合部分の基端部から前記電線先端部の半径方向の外側へ突出させて構成し、
前記突状部を前記電線先端部の半径方向の外側へ突出させて構成し、
前記折返し締付部を、前記突状部を巻き込むようにして前記外側バレル片を前記電線先端部の半径方向の外側から内側へ折り返して締め付けた締付け形態とし、且つ、前記外側バレル片における前記バレル重合部分に構成した
請求項７に記載の接続構造体。
【請求項９】
前記バレル重合部分を、該バレル重合部分の基端部から前記電線先端部の半径方向に対して直交方向の外側へ突出させて構成し、
前記突状部を前記直交方向へ突出させて構成し、
前記折返し締付部を、
前記突状部を巻き込むようにして前記外側バレル片を前記直交方向の外側から内側へ折り返して締め付けた締付け形態とし、且つ、前記外側バレル片における前記バレル重合部分に構成した
請求項７に記載の接続構造体。
【請求項１０】
電線導体を絶縁被覆で被覆し、先端側の前記絶縁被覆を剥がして露出させた導体露出部を有する電線先端部を備えた被覆電線と、
前記電線先端部のうち少なくとも前記導体露出部を圧着する圧着許容部を構成するバレル片とバレル底面を備えた圧着端子とで構成した接続構造体であって、
前記バレル片を、前記バレル底面の幅方向の両側に配置し、
前記バレル片を、前記導体露出部分の長さより長手方向の長さを長く形成するとともに、前記導体露出部から前記絶縁被覆の先端までを連続して一体的に囲繞するように、長手方向に連続して形成し、
前記圧着許容部を圧着状態とした圧着部に、少なくとも前記一対のバレル片の一部が互いに重ね合わされたバレル重合部分を形成し、
前記バレル重合部分のうち、外側に位置するバレル片を外側バレル片に設定するとともに、前記外側バレル片の内側に位置するバレル片を内側バレル片に設定し、
前記バレル重合部分における前記内側バレル片の少なくとも一部分に、前記内側バレル片の他の部分と比較して突状である突状部を構成するとともに、前記バレル重合部分における前記外側バレル片の少なくとも一部分に、前記突状部を巻き込むように折り返して締め付ける折返し締付部を構成し、
前記突状部を、
前記内側バレル片の先端部に構成し、
前記バレル重合部分を、該バレル重合部分の基端部から前記電線先端部の半径方向の外側へ突出させて構成し、
前記バレル重合部分に、前記内側バレル片と前記外側バレル片とを一体に前記電線先端部の半径方向の外側から内側へ折り返した折返し部を構成し、
前記突状部を前記電線先端部の半径方向の内側へ突出させて構成し、
前記折返し締付部を、
前記突状部を巻き込むようにして前記外側バレル片を前記電線先端部の半径方向の内側から外側へ折り返して締め付けた締付け形態とし、且つ、前記外側バレル片における前記折返し部よりも該外側バレル片が突出する突出方向の先端側に構成した
接続構造体。
【請求項１１】
請求項１乃至６のうちいずれかに記載の接続構造体の製造方法であって、
バレル圧着型と、該バレル圧着型に対向し、前記バレル底面を保持するバレル底面保持型とのプレスにより、前記電線先端部を囲繞した状態で前記内側バレル片に対して前記外側バレル片を外側から重ね合わせた第１圧着状態の圧着部を構成する端子圧着工程と、
先端部の幅が前記第１圧着状態の圧着部よりも幅狭に構成したバレル片プレス型と、該バレル片プレス型に対向する前記バレル底面保持型とのプレスにより、前記第１圧着状態の圧着部の幅方向の中間部を前記バレル底面保持型側へ圧縮し、前記内側バレル片に前記突状部を形成する第２圧着状態の圧着部を構成する圧縮プレス工程と、
外側バレル片折返し型と、該外側バレル片折返し型に対向する前記バレル底面保持型とのプレスにより、前記圧縮プレス工程によって前記内側バレル片から離間した外側バレル片における外側離間先端片を前記内側プレス片の側へ近接する方向へ案内し、前記外側バレル片に、前記突状部を巻き込むように折り返して締め付ける折返し締付部を形成して前記第３圧着状態の圧着部を構成する外側バレル片折返し工程とを行う
接続構造体の製造方法。
【請求項１２】
前記バレル圧着型における前記バレル片を圧着する圧着部分の幅方向の各側に、前記電線先端部を囲繞するように前記バレル片の圧着を案内する圧着案内面を形成し、
幅方向の一方の前記圧着案内面を、幅方向の一方の側の前記バレル片が前記外側バレル片となるよう案内する外側バレル片圧着案内面に設定するとともに、幅方向の他方の前記圧着案内面を、幅方向の他方の側の前記バレル片が前記内側バレル片となるよう案内する内側バレル片圧着案内面に設定し、
前記外側バレル片圧着案内面を、前記内側バレル片圧着案内面よりも曲率が小さくなる弧状に形成した
請求項１１に記載の接続構造体の製造方法。
【請求項１３】
前記外側バレル片折返し工程において
前記外側バレル片折返し型と前記バレル底面保持型とのプレスを行う直前から最中にかけての少なくとも所定の間に、
前記外側バレル片における前記外側離間先端片の基端部を加熱する加熱処理工程を行う
請求項１１または１２に記載の接続構造体の製造方法。
【請求項１４】
請求項１乃至５、並びに、請求項７のうちいずれかに記載の接続構造体の製造方法であって、
バレル圧着型と、該バレル圧着型に対向し、バレル底面を保持するバレル底面保持型とのプレスにより、前記内側バレル片と前記外側バレル片とによって前記電線先端部を囲繞した状態で前記内側バレル片の先端部を前記電線先端部の半径方向の外側へ突出させて前記突状部として形成するとともに、前記突状部を前記外側バレル片により巻き込むようにして該外側バレル片を折り返した折返し部を形成して第１圧着状態の圧着部を構成する端子圧着工程を行う
接続構造体の製造方法。
【請求項１５】
前記端子圧着工程において
前記バレル圧着型と前記バレル底面保持型とのプレスを行う直前から最中にかけての少なくとも所定の間に、
前記外側バレル片における前記折返し部を加熱する加熱処理工程を行う
請求項１４に記載の接続構造体の製造方法。
【請求項１６】
前記端子圧着工程の後に、外側バレル片折返し型と、該外側バレル片折返し型に対向するバレル底面保持型とのプレスにより、前記突状部が前記電線先端部の半径方向の内側へ突出するよう前記折返し部と前記突出部の基部を一体に折り返して、前記折返し部を折返し締付部として形成するとともに、前記突出部を前記折返し締付部により締め付けた第２圧着状態の圧着部を構成する締め付け工程を行う
請求項１４または１５に記載の接続構造体の製造方法。
【請求項１７】
前記端子圧着工程の後に、外側バレル片折返し型と、該外側バレル片折返し型に対向するバレル底面保持型とのプレスにより、前記突状部が前記電線先端部の半径方向に対して直交方向に突出するよう前記折返し部と前記突出部の基部を一体に折り曲げて、前記折返し部を折返し締付部として形成するとともに、前記突出部を前記折返し締付部により締め付けた第２圧着状態の圧着部を構成する締め付け工程を行う
請求項１４または１５に記載の接続構造体の製造方法。
【請求項１８】
前記締め付け工程において
前記外側バレル片折返し型と前記バレル底面保持型とのプレスを行う直前から最中にかけての少なくとも所定の間に、
前記外側バレル片における前記折返し部、及び、前記折返し締付部のうち少なくともいずれかの部分を加熱する加熱処理工程を行う
請求項１６または１７に記載の接続構造体の製造方法。
【発明の詳細な説明】
【技術分野】
【０００１】
この発明は、例えば、自動車用ワイヤーハーネスの接続を担うコネクタ等に装着される圧着端子を用いた接続構造体及び、接続構造体の製造方法に関する。
【背景技術】
【０００２】
近年の自動車では、様々な電装機器が装備されており、その電気回路はますます複雑化し、安定した電力供給が必要不可欠となっている。このようにさまざまな電装機器が装備された自動車は、被覆電線を束ねたワイヤーハーネスを配索しており、ワイヤーハーネス同士をコネクタで接続し、電気回路を構成している。
これらのコネクタには、被覆電線を圧着部で圧着接続した圧着端子が内部に装着されており、雄型コネクタと、雌型コネクタとを嵌合させる構成である。
【０００３】
このような電気接続によって構成される電気回路において、コネクタ内部に装着した圧着端子と被覆電線との圧着部分から水分が浸入すると、被覆電線を構成する電線導体の表面が腐食し、導電性が低下するといった問題があった。
【０００４】
このような問題は、圧着部における被覆電線の絶縁被覆の先端部分を圧着するインシュレーションバレルと、絶縁被覆より先端側で露出する電線導体の露出部分を圧着するワイヤバレルとの間に隙間があり、絶縁被覆の先端部分が露出しているため生じると考えられる。
【０００５】
そこで、絶縁被覆の先端から電線導体の先端までを一体的に囲繞するために、ワイヤバレルとインシュレーションバレルとを一体化したバレルを備えた圧着端子を用いることにより、水分の侵入を防止できると考えられる。しかし、昨今の複雑化した電気回路ではより安定した導電性を確保する必要があり、上記圧着端子では十分ではなかった。
【０００６】
また、自動車からの二酸化炭素排出量の低減が求められている現在において、ガソリン自動車に比べてワイヤーハーネスが多用される電気自動車やハイブリット自動車が増加しているような状況の中、ガソリン自動車を含め、すべての自動車において、車両の軽量化は燃費向上に大きな影響を与えるため、ワイヤーハーネスやバッテリーケーブル等に、銅（あるいは銅合金）だけでなくアルミニウム（あるいはアルミニウム合金）製の電線を適用し軽量化を図っている。
【０００７】
このような、アルミニウムやアルミニウム合金で構成するアルミニウム電線を銅や銅合金で構成する圧着端子に圧着接続した場合、両者の接触部分に結露や海水等の水分が介在すると電気化学的反応が生じ、端子材料の錫めっき、金めっき、銅合金等の貴な金属種により、卑な金属であるアルミニウムやアルミニウム合金が腐食する現象、すなわち異種金属腐食（以下において電食という）が生じるという問題がある。
【０００８】
この電食により、圧着端子の圧着部で圧着したアルミニウム電線が腐食、溶解、消失し、やがては電気抵抗が上昇し、その結果、十分な導電機能を果たせなくなるおそれがあるため、このようなアルミニウム電線を用いる場合はより確実に水分の浸入を防止する必要性が求められている。
【０００９】
圧着端子を用いた接続構造体の止水性能向上のために様々な文献が提案されている。例えば、下記特許文献１，２もその１つである。  
特許文献１では、止水性能向上のために圧着時にシール材としてエポキシ塗料を塗布することについても記載されている。また、特許文献２では、被覆電線に圧着端子を圧着した際に、圧着端子のバレル片と被覆電線の導体との接触部分に、水分が浸入する隙間が生じないように接触状態を保つ接触層を設けることが記載されている。
【００１０】
しかし、特許文献１に記載のエポキシ塗料、特許文献２に記載の接触層に用いる樹脂は、有機材料であるため、金属材料と比較して強度が低く耐熱性に劣る。
【００１１】
例えば、接続構造体を自動車用ワイヤーハーネスの接続用などの自動車用部品として適用した場合、１０〜２０年という長期に亘る使用期間において、高温な環境に晒される時間が長くなると、初期段階では止水性能を満足していたものが、一般に金属材料からなる接続構造体と塗料の界面、或いは、接続構造体と接触層との界面に隙間が生じてしまい、止水性能を確保することができないおそれがある。
【００１２】
さらに、接続構造体を自動車用部品として適用する場合において、高温な環境に晒される時間が長くなると、上述した樹脂やその他にもシール部材として一般に用いられるゴム等は変質し易く、本来求められる止水性能が低下してしまうおそれがある。
【００１３】
このように、止水性能が低下すると、導体と該導体を被覆する絶縁被覆との間に水分が染み渡り、導体が腐食劣化し、導体と圧着端子との接触抵抗が上昇して導電性を確保することができなくなるという課題が生じる。
【００１４】
一方で、接続構造体において、圧着端子のバレル部を電線先端部に圧着し、シール材を配置しない構成の場合、たとえ、バレル部の幅方向の両側に有するバレル片同士を互いに重ね合わせた状態で圧着したとしてもバレル片同士の隙間を通じた水の浸入を阻止することができず、止水性能を確保することができなかった。
【先行技術文献】
【特許文献】
【００１５】
【特許文献１】特開昭５６−１３６８５号公報
【特許文献２】特開２０１０−２０５５８３号公報
【発明の概要】
【発明が解決しようとする課題】
【００１６】
そこでこの発明は、圧着部における圧着だけで、圧着部における確実な止水性を確保することができる接続構造体及び、接続構造体の製造方法を提供することを目的とする。
【課題を解決するための手段】
【００１７】
本発明は、電線導体を絶縁被覆で被覆し、先端側の前記絶縁被覆を剥がして露出させた導体露出部を有する電線先端部を備えた被覆電線と、前記電線先端部のうち少なくとも前記導体露出部を圧着する圧着許容部を構成するバレル片とバレル底面を備えた圧着端子とで構成した接続構造体であって、前記バレル片を、前記バレル底面の幅方向の両側に配置し、前記バレル片を、前記導体露出部分の長さより長手方向の長さを長く形成するとともに、前記導体露出部から前記絶縁被覆の先端までを連続して一体的に囲繞するように、長手方向に連続して形成し、前記圧着許容部を圧着状態とした圧着部に、少なくとも前記一対のバレル片の一部が互いに重ね合わされたバレル重合部分を形成し、前記バレル重合部分のうち、外側に位置するバレル片を外側バレル片に設定するとともに、前記外側バレル片の内側に位置するバレル片を内側バレル片に設定し、前記バレル重合部分における前記内側バレル片の少なくとも一部分に、前記内側バレル片の他の部分と比較して突状である突状部を構成するとともに、前記バレル重合部分における前記外側バレル片の少なくとも一部分に、前記突状部を巻き込むように折り返して締め付ける折返し締付部を構成し、圧着状態における前記バレル片と前記バレル底面との対向部分に、互いを係合する係合部を形成したことを特徴とする。
【００１８】
ここで、上述の前記突状部を巻き込むように折り返すとは、前記バレル重合部分において前記折返し締付部が前記突状部の突形状に沿って折り返した形状を示し、換言すると、前記突状部の外側で該突状部を包囲するように該突状部の突形状に沿って鋭角状に折り曲げた形状を示す。
【００１９】
前記バレル重合部分とは、前記圧着許容部における前記一対のバレル片同士が重合する重合部分に限らず、前記圧着許容部における前記バレル片と前記バレル底面とが重合する重合部分をも含む。
【００２０】
前記内側バレル片の他の部分とは、前記バレル重合部分における前記内側バレル片の前記一部分を除いた部分の略全体の部分を示し、前記折返し締付部により巻き込むように折り返して締め付ける上で不適切な例えば、平坦部分、鈍角状の屈曲部分を示す。
【００２１】
前記係合部は、前記圧着許容部を圧着状態としたとき、前記バレル片と前記バレル底面との対向部分が互いに係合可能な構成であれば特に限定せず、例えば、圧着状態における前記バレル片と前記バレル底面との対向部分のうち、一方の側に形成した凹状及び／又は凸状部と、これら凹状部及び／又は凸状部と係合可能に他方の側に形成した凸状部及び／又は凹状部とで構成することができる。
【００２２】
本発明の接続構造体は、前記突状部を巻き込むように折り返して締め付けた構成の折返し締付部を外側バレル片に構成することにより、前記バレル重合部分における前記突状部と前記折返し締付部とを構成した部分において、前記外側バレル片と前記内側バレル片との間に隙間が生じることなく、互いに密着した状態を保つことができる。
【００２３】
よって、内側バレル片と外側バレル片とを重合しただけの構成と比較して格段に優れた止水性能を得ることができる。したがって、前記圧着部と前記電線先端部との圧着部分を、例えば、止水用の樹脂やゴムなどのシール材で封止せずとも、十分に優れた止水性能を得ることができる。
【００２４】
詳しくは、接続構造体を高温多湿、或いは気温や湿度変化が激しい厳しい環境に長期間に亘って晒した場合、シール材として一般に用いられる樹脂やゴムなどが変質し、本来、求められる止水機能が劣化してしまうおそれがある。  
これに対して本発明の接続構造体は、前記圧着部と前記電線先端部との圧着部分をシール材で封止せずとも長期間に亘って十分に優れた止水性能を確保することができる。
【００２５】
また、一般に、シール材は、樹脂材料等で形成するとともに、前記圧着部と前記電線先端部との圧着部分は、金属材料で形成しているため、該圧着部分をシール材で封止した構成の場合、該圧着部分は、シール材に対して異種材料であることにより剥離し易く、これらシール材と樹脂材料と界面の隙間を通じて水分が浸入し易くなる。
【００２６】
これに対して本発明の接続構造体は、前記突状部と前記折返し締付部を同じ圧着部の一部分として構成し、前記突状部を前記折返し締付部によって締め付けた状態で構成することによって、圧着部分をシール材で封止せずとも十分に優れた止水性能を確保できるため、前記圧着部と前記電線先端部との圧着部分をシール材で封止した構成の場合のように、圧着部分からシール材が剥離して、互いの界面から水が浸入するといった事態が生じることがなく、十分に優れた止水性能を安定して確保することができる。
【００２７】
さらにまた、本発明の接続構造体は、シール材で封止するなどの止水処理を施す必要がないため、製造工程の効率化を図ることができる。  
詳しくは、接続構造体における圧着部と電線先端部との圧着部分に、塗料や接触層を備えるなどの止水処理を施した場合、接続構造体の製造工程が増えるため、製造効率が悪く、塗料や樹脂などのシール材が必要となるため、材料コストや材料の管理コストが嵩むといいう課題が生じる。
【００２８】
これに対して、本発明の接続構造体は、前記圧着部と前記電線先端部との圧着部分をシール材で封止した構成の場合のように、前記圧着部と前記電線先端部との圧着部分を、シール材で封止するなどの止水処理を別途、施す必要がないため、製造工程の簡素化、効率化を図ることができるとともに、シール材が不要になるため、材料コストや管理コストの削減を図ることができる。
【００２９】
加えて、本発明の接続構造体は、前記圧着部と前記電線先端部との間にシール材が介在しないため、前記圧着部と前記電線先端部との優れた導通性能を確保することができる。  
詳しくは、一般に樹脂やゴムは絶縁性であるものが殆どであり、樹脂の中には、導電性樹脂も存在するが、たとえ導電性樹脂であっても圧着端子の構成材料として一般に用いられることが多い上述した銅や錫などに比べると極めて導電性が低い材料である。
【００３０】
そのような導電性の低い材料、或いは絶縁材料からなるシール材を、導通を確保する必要がある圧着部と電線先端部との圧着部分の近傍に配置する際に、意に反して配置位置のずれや圧着条件が変化するなどした場合、シール材が電線導体と圧着端子の間に介在した状態で圧着するおそれが生じ、電線導体と圧着端子の間にシール材が介在すれば、導通性能に支障を来たすおそれがある。
【００３１】
これに対して、本発明の接続構造体は、圧着部分をシール材で封止せずとも十分に優れた止水性能を確保できるため、前記圧着部と前記電線先端部との圧着部分をシール材で封止する場合におけるシール材による不測の介在のおそれがなく、前記圧着部と前記電線先端部との優れた導通性能を安定して確保することができる。
【００３２】
また、圧着状態における前記バレル片と前記バレル底面との対向部分に、互いを係合する係合部を形成することにより、前記バレル片と前記バレル底面との対向部分において、前記バレル片と前記バレル底面とを互いに係合させることができるため、前記バレル片と前記バレル底面とを、互いの間に隙間が生じることがなく強固な圧着状態に保つことができ、より優れた止水性能を長期に亘って確保することができる。
【００３３】
この発明の態様として、前記圧着部のうち、少なくとも前記折返し締付部を、前記圧着部における他の部分と比較して薄い肉厚で形成することができる。  
上述した構成により、前記圧着部のうち、前記薄い肉厚で形成した部分は、他の部分と比較して折り返し易くなるため、前記圧着部によって、少なくとも前記導体露出部を圧着する際に、該薄い肉厚で形成した部分を折り返すことができる。
【００３４】
従って、薄い肉厚で形成した部分に、折返し締付部を確実に構成することができる。  
しかも、薄い肉厚で形成した部分を折り返すことで、該薄い肉厚で形成した部分の復元力を前記圧着部における他の部分と比較して小さく抑えることができるため、該薄い肉厚で形成した部分を折り返した状態に保つことができる。よって、折り返したバレル片がその復元力によって不測に復元すること（スプリングバック）を防止することができ、折返し締付部を、しっかりと前記突状部を巻き込むように折り返して締め付けた形状を保つことができる。
【００３５】
またこの発明の態様として、前記外側バレル片を前記内側バレル片よりも突出方向に長く形成することができる。  
上述した構成により、前記内側バレル片を前記外側バレル片により覆った状態で互いにしっかりと重ね合せることができるとともに、前記バレル重合部分において前記外側バレル片に構成される前記折返し締付部によって、前記内側バレル片に構成される前記突状部をしっかりと巻き込むように折り返して締め付けた形状に構成することができる。
【００３６】
またこの発明の態様として、前記外側バレル片と前記内側バレル片との突出方向の長さを略同じ長さに形成することができる。  
上述したように、前記突状部を前記折返し締付部よってしっかりと巻き込むように折り返して締め付けることができるため、前記外側バレル片と前記内側バレル片との突出方向の長さを略同じ長さに形成した形状の圧着端子を備えた接続構造であっても、圧着部の止水性を高めることができる。
【００３７】
そして、このような背面視Ｕ字形状の圧着端子は、一般に広く普及しているため、このような背面視Ｕ字形状の圧着端子を用いることで、特殊な形状の圧着端子を用いずとも、優れた止水性を備えた汎用性の高い接続構造体を構成することができる。
【００３８】
なお、上述した前記外側バレル片と前記内側バレル片との突出方向の長さを略同じ長さに形成した構成には、前記一対のバレル片をいずれも長尺とし、幅方向の両側のバレル片の双方を前記長尺状バレルとして形成した構成も含むものとする。
【００３９】
またこの発明の態様として、前記バレル部における前記バレル重合部分の少なくとも一部に、シール層を形成することができる。  
このように、圧着部の少なくとも一部にシール層を形成することで、更なる止水性向上を図ることができる。  
詳しくは、上述したように、シール材を用いることによる材料コストの増加や製造効率の低減、あるいはシール材が電線導体と圧着端子の間に介在しないように留意する必要はあるものの、前記突状部を巻き込むように折り返して締め付けた構成の折返し締付部を外側バレル片に構成することにより、前記外側バレル片と前記内側バレル片との間に隙間が生じることなく、互いに密着した状態を保つことができるため、シール層を構成するシール材が使用環境にさらされて劣化することがなく、向上された止水性を長期に亘って安定して維持することができる。
【００４０】
加えて、折返し締付部により前記突状部を巻き込むように折り返して締め付けたとき、前記突状部と前記折返し締付部との間にもシール層が介在することになるため、該シール層によって、これら前記突状部と前記折返し締付部との間に隙間が生じない状態とすることができるため、より優れた止水性能を得ることができる。
【００４１】
前記シール層は、例えば、前記圧着許容部において、該圧着許容部を圧着したとき前記バレル重合部分となる部分に、予めシール材を塗布するなどして形成することができる。  
なお、前記シーズ層を形成するために用いるシール材としては、例えば、樹脂やゴムを用いることができる。
【００４２】
またこの発明の態様として、前記圧着許容部における前記バレル底面の幅方向の端部から前記バレル片の基部にかけての少なくとも一部分に、前記バレル片を前記バレル底面側へ折り曲げるバレル折り曲げ部分を長手方向に沿って構成し、前記突状部を、前記バレル折り曲げ部分に構成することができる。
【００４３】
上述した構成により、前記内側バレル片の略全体が前記外側バレル片と重なり合うため、これら外側バレル片と内側バレル片との重合部分をより広範囲で確保することができ、優れた止水性能を得ることができる。
【００４４】
さらに、上述した構成により、前記接続構造体は、前記バレル重合部分における前記バレル折曲げ部分に、前記突状部を構成するとともに、前記折返し締付部を、前記突状部を巻き込むように折り返して締め付けた構成とすることができる。
【００４５】
このため、前記バレル重合部分における、前記外側バレル片と前記内側バレル片との間を通じて圧着状態の圧着部の外側から内側へ水分が浸入することを、前記バレル折曲げ部分においてより確実に防ぐことができるとともに、前記バレル折曲げ部分において前記突状部を前記折返し締付部で締め付けることができる。  
従って、前記バレル重合部分の長さを十分に確保することができ、優れた止水性能を得ることができる。
【００４６】
ここで、上述した前記圧着許容部における前記バレル底面の幅方向の端部から前記バレル片の基部にかけての少なくとも一部分とは、前記バレル底面と前記バレル片との境界部分、及び、該境界部分に対して幅方向の両側部分を含む概念である。
【００４７】
またこの発明の態様として、前記突状部を、前記内側バレル片の先端部に構成することができる。  
上述した構成により、前記バレル重合部分における前記内側バレル片の先端部を、前記突状部として構成するとともに、前記折返し締付部を、前記内側バレル片の先端部を巻き込むように折り返して締め付けた構成の接続構造体とすることができる。
【００４８】
よって、前記内側バレル片の先端部を、前記外側バレル片の前記折返し締付部で締め付けることができるため、外側バレル片と内側バレル片との間を通じて圧着状態の圧着部の外側から内側へ水分が浸入することを、前記内側バレル片の先端部においてより確実に防ぐことができ、さらに優れた止水性能を得ることができる。
【００４９】
前記内側バレル片の先端部は、前記圧着部により圧着する前記電線先端部の半径方向の外側へ突出する形状のものに限らず、前記電線先端部の半径方向の内側に突出する形状のものや、半径方向に直交する直交方向へ突出する形状のものを含むものとし、前記内側バレル片の先端部の突出方向は特に限定しない。
【００５０】
またこの発明の態様として、前記バレル重合部分を、該バレル重合部分の基端部から前記電線先端部の半径方向の外側へ突出させて構成し、前記突状部を前記電線先端部の半径方向の外側へ突出させて構成し、前記折返し締付部を、前記突状部を巻き込むようにして前記外側バレル片を前記電線先端部の半径方向の外側から内側へ折り返して締め付けた締付け形態とし、且つ、前記外側バレル片における前記バレル重合部分に構成することができる。
【００５１】
またこの発明は、電線導体を絶縁被覆で被覆し、先端側の前記絶縁被覆を剥がして露出させた導体露出部を有する電線先端部を備えた被覆電線と、前記電線先端部のうち少なくとも前記導体露出部を圧着する圧着許容部を構成するバレル片とバレル底面を備えた圧着端子とで構成した接続構造体であって、前記バレル片を、前記バレル底面の幅方向の両側に配置し、前記バレル片を、前記導体露出部分の長さより長手方向の長さを長く形成するとともに、前記導体露出部から前記絶縁被覆の先端までを連続して一体的に囲繞するように、長手方向に連続して形成し、前記圧着許容部を圧着状態とした圧着部に、少なくとも前記一対のバレル片の一部が互いに重ね合わされたバレル重合部分を形成し、前記バレル重合部分のうち、外側に位置するバレル片を外側バレル片に設定するとともに、前記外側バレル片の内側に位置するバレル片を内側バレル片に設定し、前記バレル重合部分における前記内側バレル片の少なくとも一部分に、前記内側バレル片の他の部分と比較して突状である突状部を構成するとともに、前記バレル重合部分における前記外側バレル片の少なくとも一部分に、前記突状部を巻き込むように折り返して締め付ける折返し締付部を構成し、前記突状部を、前記内側バレル片の先端部に構成し、前記バレル重合部分を、該バレル重合部分の基端部から前記電線先端部の半径方向の外側へ突出させて構成し、前記バレル重合部分に、前記内側バレル片と前記外側バレル片とを一体に前記電線先端部の半径方向の外側から内側へ折り返した折返し部を構成し、前記突状部を前記電線先端部の半径方向の内側へ突出させて構成し、前記折返し締付部を、前記突状部を巻き込むようにして前記外側バレル片を前記電線先端部の半径方向の内側から外側へ折り返して締め付けた締付け形態とし、且つ、前記外側バレル片における前記折返し部よりも該外側バレル片が突出する突出方向の先端側に構成することができる。
【００５２】
またこの発明の態様として、前記バレル重合部分を、該バレル重合部分の基端部から前記電線先端部の半径方向に対して直交方向の外側へ突出させて構成し、前記突状部を前記直交方向へ突出させて構成し、前記折返し締付部を、前記突状部を巻き込むようにして前記外側バレル片を前記直交方向の外側から内側へ折り返して締め付けた締付け形態とし、且つ、前記外側バレル片における前記バレル重合部分に構成することができる。
【００５３】
またこの発明は、上述した接続構造体の製造方法であって、バレル圧着型と、該バレル圧着型に対向し、前記バレル底面を保持するバレル底面保持型とのプレスにより、前記電線先端部を囲繞した状態で前記内側バレル片に対して前記外側バレル片を外側から重ね合わせた第１圧着状態の圧着部を構成する端子圧着工程と、先端部の幅が前記第１圧着状態の圧着部よりも幅狭に構成したバレル片プレス型と、該バレル片プレス型に対向する前記バレル底面保持型とのプレスにより、前記第１圧着状態の圧着部の幅方向の中間部を前記バレル底面保持型側へ圧縮し、前記内側バレル片に前記突状部を形成する第２圧着状態の圧着部を構成する圧縮プレス工程と、外側バレル片折返し型と、該外側バレル片折返し型に対向する前記バレル底面保持型とのプレスにより、前記圧縮プレス工程によって前記内側バレル片から離間した外側バレル片における外側離間先端片を前記内側プレス片の側へ近接する方向へ案内し、前記外側バレル片に、前記突状部を巻き込むように折り返して締め付ける折返し締付部を形成して前記第３圧着状態の圧着部を構成する外側バレル片折返し工程とを行うことを特徴とする。
【００５４】
上述した構成により、前記バレル重合部分における前記内側バレル片のバレル折り曲げ部分に、前記突状部を構成するとともに、前記折返し締付部を、前記突状部を巻き込むように折り返して締め付けた構成の接続構造体を確実に構成することができる。
【００５５】
詳しくは、前記圧縮プレス工程により、前記内側バレル片に前記突状部を構成し、その後、外側バレル片折返し工程により、前記外側バレル片に、折返し締付部を構成することができる。このように、前記突状部と前記折返し締付部とを工程ごとに段階的に構成することができるため、優れた止水性能を有する接続構造体を確実に製造することができる。  
なお、上述したバレル底面保持型は、前記端子圧着工程、前記圧縮プレス工程、前記外側バレル片折返し工程の工程ごとに異なるものであっても、共通のものであってもよい。
【００５６】
この発明の態様として、前記バレル圧着型における前記バレル片を圧着する圧着部分の幅方向の各側に、前記電線先端部を囲繞するように前記バレル片の圧着を案内する圧着案内面を形成し、幅方向の一方の前記圧着案内面を、幅方向の一方の側の前記バレル片が前記外側バレル片となるよう案内する外側バレル片圧着案内面に設定するとともに、幅方向の他方の前記圧着案内面を、幅方向の他方の側の前記バレル片が前記内側バレル片となるよう案内する内側バレル片圧着案内面に設定し、前記外側バレル片圧着案内面を、前記内側バレル片圧着案内面よりも曲率が小さくなる弧状に形成することができる。  
上述の曲率が小さくなる弧状は、曲げ半径が大きく、緩やかな曲面で構成する弧状であることを示している。
【００５７】
前記端子圧着工程において、バレル圧着型とバレル底面保持型とのプレスを行う際に、上述した構成の前記バレル圧着型を用いることにより、前記電線先端部を囲繞した状態で前記内側バレル片に対して前記外側バレル片を外側から重ね合わせた状態の圧着部、すなわち第１圧着状態の圧着部を確実、且つ、容易に構成することができる。
【００５８】
そして、上述した構成の前記バレル圧着型を用いることにより、圧着端子が例えば、外側バレル片と内側バレル片とが同じ突出長さの圧着端子、換言すると、長手方向に直交する直交断面がＵ字型をした圧着部を備えた圧着端子であっても、前記電線先端部を囲繞した状態で前記内側バレル片に対して前記外側バレル片を外側から重ね合わせた第１圧着状態の圧着部を確実、且つ、容易に構成することができる。
【００５９】
またこの発明の態様として、前記外側バレル片折返し工程において前記外側バレル片折返し型と前記バレル底面保持型とのプレスを行う直前から最中にかけての少なくとも所定の間に、前記外側バレル片における前記外側離間先端片の基端部を加熱する加熱処理工程を行うことができる。
【００６０】
ここで、前記外側離間先端片の基端部は、前記外側バレル片折返し工程により前記折返し締付部として構成することができるため、上述したように、該前記外側離間先端片の基端部を加熱処理工程で加熱することにより、前記外側離間先端片の基端部、すなわち、折返し締付部に熱処理部としての熱処理部（焼鈍部）を形成することができる。
【００６１】
これにより、前記突状部を巻き込むように折り返して締め付けた状態に屈曲した折返し締付部が前記外側バレル片の復元力により屈曲前の状態に復元していく、いわゆるスプリングバックを防ぐことができる。
【００６２】
従って、突状部を折返し締付部により長期に亘って優れた締め付け状態に保つことができ、優れた止水性能を確保することができる。
【００６３】
ここで、上述した少なくとも所定の間とは、前記外側バレル片折返し型と前記バレル底面保持型とのプレスを行う直前、最中、或いは、直前から最中にかけての間の時期を含む。
【００６４】
またこの発明は、上述した接続構造体の製造方法であって、バレル圧着型と、該バレル圧着型に対向し、バレル底面を保持するバレル底面保持型とのプレスにより、前記内側バレル片と前記外側バレル片とによって前記電線先端部を囲繞した状態で前記内側バレル片の先端部を前記電線先端部の半径方向の外側へ突出させて前記突状部として形成するとともに、前記突状部を前記外側バレル片により巻き込むようにして該外側バレル片を折り返した折返し部を形成して第１圧着状態の圧着部を構成する端子圧着工程を行うことを特徴とする。
【００６５】
この発明の態様として、前記端子圧着工程において前記バレル圧着型と前記バレル底面保持型とのプレスを行う直前から最中にかけての少なくとも所定の間に、前記外側バレル片における前記折返し部を加熱する加熱処理工程を行うことができる。
【００６６】
上述した構成により、突状部を折返し締付部により長期に亘って優れた締め付けた状態に保つことができ、優れた止水性能を確保することができる。
【００６７】
この発明の態様として、前記端子圧着工程の後に、外側バレル片折返し型と、該外側バレル片折返し型に対向するバレル底面保持型とのプレスにより、前記突状部が前記電線先端部の半径方向の内側へ突出するよう前記折返し部と前記突出部の基部を一体に折り返して、前記折返し部を折返し締付部として形成するとともに、前記突出部を前記折返し締付部により締め付けた第２圧着状態の圧着部を構成する締め付け工程を行うことができる。
【００６８】
またこの発明の態様として、前記端子圧着工程の後に、外側バレル片折返し型と、該外側バレル片折返し型に対向するバレル底面保持型とのプレスにより、前記突状部が前記電線先端部の半径方向に対して直交方向に突出するよう前記折返し部と前記突出部の基部を一体に折り曲げて、前記折返し部を折返し締付部として形成するとともに、前記突出部を前記折返し締付部により締め付けた第２圧着状態の圧着部を構成する締め付け工程を行うことができる。
【００６９】
上述した構成により、前記バレル重合部分における前記内側バレル片の先端部に、前記突状部を構成するとともに、前記折返し締付部を、前記内側バレル片の先端部を巻き込むように折り返して締め付けた構成の接続構造体を確実に構成することができる。
【００７０】
詳しくは、前記端子圧着工程において、前記外側バレル片に折返し部を構成し、続いて行う締め付け工程において、前記折返し部を折返し締付部として構成することができるため、前記突出部を折返し締付部によって、巻き込むように折り返してしっかりと締め付けることができ、優れた止水性能を有する接続構造体を確実に製造することができる。
【００７１】
なお、上述したバレル底面保持型は、前記端子圧着工程、締め付け工程ごとに異なるものであっても、共通のものであってもよい。
【００７２】
前記接続構造体の製造方法に用いるバレル底面保持型と、上述の外側バレル片折返し工程を有する接続構造体の製造方法に用いるバレル底面保持型とは、同じものであっても異なるものであってもよい。
【００７３】
この発明の態様として、前記締め付け工程において前記外側バレル片折返し型と前記バレル底面保持型とのプレスを行う直前から最中にかけての少なくとも所定の間に、前記外側バレル片における前記折返し部、及び、前記折返し締付部のうち少なくともいずれかの部分を加熱する加熱処理工程を行うことができる。
【００７４】
上述した構成により、前記突状部を前記折返し部、又は、前記折返し締付部により長期に亘って優れた締め付けた状態に保つことができ、優れた止水性能を確保することができる。
【発明の効果】
【００７５】
この発明によれば、圧着部における圧着だけで、圧着部における確実な止水性を確保することができる接続構造体及び、接続構造体の製造方法を提供することができる。
【図面の簡単な説明】
【００７６】
【図１】第１実施形態の圧着接続構造体の外観図。
【図２】第１実施形態の圧着接続構造体の構成説明図。
【図３】雌型圧着端子及び、被覆電線の構成説明図。
【図４】第１実施形態の雌型圧着端子の構成説明図。
【図５】第１実施形態の雌型圧着端子の構成説明図。
【図６】第１実施形態の圧着接続構造体の製造方法の説明図。
【図７】第２実施形態の圧着接続構造体の製造方法の説明図。
【図８】他の実施形態の圧着接続構造体の構成説明図。
【図９】エアリーク試験に用いる装置の構成説明図。
【図１０】他の実施形態の圧着接続構造体の構成説明図。
【図１１】他の実施形態の圧着接続構造体の構成説明図。
【図１２】他の実施形態の圧着接続構造体の構成説明図。
【発明を実施するための形態】
【００７７】
この発明の一実施形態を以下図面とともに説明する。  
本実施形態の圧着接続構造体１は、電線導体２０３を絶縁被覆２０２で被覆し、先端側の絶縁被覆２０２を剥がして露出させた導体露出部２０１ａを有する電線先端部２００ａを備えた被覆電線２００と、該被覆電線２００に対する圧着を許容する圧着許容部３０Ａを構成するバレル片３２とバレル底面３１を備えた雌型圧着端子１０とで構成し、電線先端部２００ａのうち、少なくとも導体露出部２０１ａを圧着許容部３０Ａで圧着することにより一体に構成している。
【００７８】
雌型圧着端子１０は、バレル片３２を、バレル底面３１の幅方向Ｙの両側に一対備え、バレル片３２を、導体露出部２０１ａの長さより長手方向Ｘの長さを長く形成するとともに、導体露出部２０１ａから絶縁被覆２０２の先端の被覆先端２０２ａまでを連続して一体的に囲繞するように、長手方向Ｘに連続して形成している。  
圧着許容部３０Ａを圧着した圧着部３０に、少なくとも一対のバレル片３２の一部が互いに重ね合わされたバレル重合部分Ｄを形成している。
【００７９】
ここで、バレル重合部分Ｄのうち、外側に位置するバレル片３２を外側バレル片３２ａに設定するとともに、外側バレル片３２ａの内側に位置するバレル片３２を内側バレル片３２ｂに設定している。
【００８０】
また、バレル重合部分Ｄにおける内側バレル片３２ｂの少なくとも一部分に、内側バレル片３２ｂの他の部分と比較して突状である突状部３８を構成するとともに、バレル重合部分Ｄにおける外側バレル片３２ａの少なくとも一部分に、突状部３８を巻き込むように折り返して締め付ける折返し締付部３９を構成している。
【００８１】
以下において、上述した圧着接続構造体１及び、雌型圧着端子１０について図１乃至図５を用いて詳述する。  
図１（ａ）は圧着接続構造体１の斜視図を示し、図１（ｂ）は後述する第１圧着状態の圧着部３０１を構成した圧着接続構造体の斜視図を示している。図２（ａ）は圧着接続構造体１の幅方向Ｙ中央における縦断面図を示し、図２（ｂ）は図２（ａ）中のＡ−Ａ線端面部を示し、図２（ｃ）は図２（ａ）中のＢ−Ｂ線端面部を示し、図２（ｄ）は図２（ａ）中のＣ−Ｃ線端面部を示している。図２（ｅ）は図２（ａ）中のＸ１部分拡大図を示し、図２（ｆ）は図２（ａ）中のＸ２部分拡大図を示している。図３は、雌型圧着端子１０及び、被覆電線２００の先端側部分の外観図である。図４（ａ）は雌型圧着端子１０の右側面図を示し、図４（ｂ）は雌型圧着端子１０の幅方向Ｙ中央における縦断面図を示し、図４（ｃ）は雌型圧着端子１０の背面図を示している。
【００８２】
図５（ａ）は雌型圧着端子１０の展開図を示し、図５（ｂ）は図５（ａ）中のＸ３部拡大図を示し、図５（ｃ）は図５（ｂ）中のＡ−Ｂ−Ｃ−Ｄ線端面図を示し、図５（ｄ）は図５（ｂ）中のＥ−Ｅ線端面図を示し、図５（ｅ）は図５（ｂ）中のＦ−Ｆ線端面図を示し、図５（ｆ）は図５（ｂ）中のＧ−Ｈ−Ｉ−Ｊ線端面図を示している。
【００８３】
本実施形態の圧着接続構造体１は、被覆電線２００の先端に対して雌型圧着端子１０を圧着部３０で圧着接続した構成であり、被覆電線２００と雌型圧着端子１０との圧着部分には、電線先端部２００ａ、すなわち、導体露出部２０１ａ及び、被覆先端２０２ａに対して圧着許容部３０Ａを圧着した圧着部３０を構成している（図１（ａ））。
【００８４】
圧着部３０は、Ｘ方向の前方（先端側）から後端側へ順に、バレル間圧着部３０ａ、導体圧着部３０ｂ、被覆圧着部３０ｃを構成している。  
バレル間圧着部３０ａは、後述するが、図２及び図３に示すように、圧着許容部３０Ａにおけるバレル間圧着許容範囲３０Ａａにおいてバレル底面３１とバレル片３２とを圧着した圧着部分であり、導体圧着部３０ｂは、圧着許容部３０Ａの導体圧着許容範囲３０Ａｂを導体露出部２０１ａに圧着した圧着部分であり、被覆圧着部３０ｃは、圧着許容部３０Ａの被覆圧着許容範囲３０Ａｃを絶縁被覆２０２に圧着した圧着部分である。
【００８５】
圧着部３０で圧着して雌型圧着端子１０と接続する被覆電線２００は、アルミニウム素線を束ねた複数本のアルミニウム芯線２０１を、絶縁樹脂で構成する絶縁被覆２０２で被覆して構成している。被覆電線２００の先端側には、該先端側の絶縁被覆２０２を剥がして電線導体２０３を露出させた導体露出部２０１ａを有する電線先端部２００ａを構成している。
【００８６】
また、雌型圧着端子１０は、長手方向Ｘの先端側である前方から後方に向かって、図示省略する雄型コネクタにおける挿入タブの挿入を許容するコネクタボックス部２０と、コネクタボックス部２０の後方で、所定の長さのトランジション部２０ａを介して配置された圧着許容部３０Ａとを一体に構成している。なお、長手方向Ｘとは、コネクタボックス部２０で圧着して接続する被覆電線２００の長手方向Ｘと一致する方向である。  
雌型圧着端子１０は、表面が錫メッキ（Ｓｎメッキ）された黄銅等の銅合金条に、打ち抜き加工及び、折曲加工を施して立体構成したオープンバレル型端子である。
【００８７】
コネクタボックス部２０は、倒位の中空四角柱体で構成され、内部に、長手方向Ｘの後方に向かって折り曲げられ、挿入される雄型コネクタの挿入タブ（図示省略）に接触するディンプル２１ａを有する弾性接触片２１を備えている。  
中空四角柱体であるコネクタボックス部２０の天井部２２（２２ａ，２２ｂ）は、側面部分２３（２３ａ，２３ｂ）に対して幅方向Ｙの外側に延長する延長部分を重なるように折り曲げて構成している。
【００８８】
圧着許容部３０Ａは、図３及び、図４に示すように、バレル底面３１と、該バレル底面３１の幅方向Ｙの両側から斜め外側上方に延出した一対のバレル片３２（３２Ａａ，３２Ａｂ）とで構成している。  
一対のバレル片３２は、長尺バレル片３２Ａａと短尺バレル片３２Ａｂとで構成し、長尺バレル片３２Ａａは、図４（ｃ）に示すように、雌型圧着端子１０を背面視したとき、幅方向Ｙの右側に位置し、幅方向Ｙの左側に位置する短尺バレル片３２Ａｂの略２倍程度の突出長さで長尺に形成している。
【００８９】
なお、図３に示すように、バレル片３２の長手方向Ｘの長さＸｂは、絶縁被覆２０２の長手方向Ｘ前方側の先端である被覆先端２０２ａから、長手方向Ｘ前方で露出する電線露出部２０１ａの長手方向Ｘの露出長さＸｗより長く形成している。
【００９０】
より詳しくは、圧着許容部３０Ａは、長手方向Ｘの前方から後方に順にバレル間圧着許容範囲３０Ａａと、導体圧着許容範囲３０Ａｂと、被覆圧着許容範囲３０Ａｃとを構成し、これらを長手方向Ｘに一体に形成している。圧着許容部３０Ａのバレル間圧着許容範囲３０Ａａは、圧着許容部３０Ａの前方でバレル片３２とバレル底面３１との圧着を許容する範囲である。導体圧着許容範囲３０Ａｂは、電線先端部２００ａの導体露出部２０１ａの圧着を許容する範囲であり、被覆圧着許容範囲３０Ａｃは、電線先端部２００ａの絶縁被覆２０２の圧着を許容する範囲である。
【００９１】
導体圧着許容範囲３０Ａｂと被覆圧着許容範囲３０Ａｃとは、それぞれ圧着する電線導体２０３及び、絶縁被覆２０２の外径に応じた形状で形成しているため、絶縁被覆２０２を圧着する被覆圧着許容範囲３０Ａｃのバレル片３２は、アルミニウム芯線２０１を圧着する導体圧着許容範囲３０Ａｂのバレル片３２より長い内周長さで形成している。
【００９２】
さらに、図５に示すように、圧着許容部３０Ａには、セレーションと呼ばれる導体係合溝３３とバレル境界溝３４と前方バレル係合溝部３５と後方バレル係合溝部３６の４種類の溝を形成している。
【００９３】
導体係合溝３３は、圧着許容部３０Ａにおける導体圧着許容範囲３０Ａｂの内面に、バレル底面３１から両側のバレル片３２に達するまで幅方向Ｙに沿って連続して形成した溝であり、長手方向Ｘに所定間隔を隔てて互いに平行に４本形成している。
【００９４】
バレル境界溝３４は、圧着許容部３０Ａの内面におけるバレル底面３１とバレル片３２との境界部分、すなわちバレル片３２をバレル底面３１に対して折曲げる折り曲げるバレル折り曲げ部分３８Ａ（図４（ｃ）参照）においてＸ方向に沿って連続して形成している。
【００９５】
前方バレル係合溝部３５は、前方バレル係合溝３５ａと前方バレル被係合溝３５ｂとで形成し、いずれも圧着許容部３０Ａにおけるバレル間圧着許容範囲３０Ａａの内面に幅方向Ｙに沿って形成している。前方バレル被係合溝３５ｂは、バレル底面３１の幅方向Ｙの中間部分において、長手方向Ｘに前方バレル係合溝３５ａの溝幅よりも僅かに狭い所定間隔を隔てて互いに平行に３本形成している。
【００９６】
さらに、これら３本の前方バレル被係合溝３５ｂの間には、該前方バレル被係合溝３５ｂに対して凸状の部分を有し、該凸状の部分を、前方バレル係合突部３５ｂ’に設定している。
【００９７】
一方、前方バレル係合溝３５ａは、バレル片３２において長手方向Ｘに所定間隔を隔てて互いに平行に２本形成している。前方バレル係合溝３５ａは、長手方向Ｘにおいて、前方バレル係合突部３５ｂ’と一致する位置に形成している。
【００９８】
また、後方バレル係合溝部３６は、後方バレル係合溝３６ａと後方バレル被係合溝３６ｂとで形成し、いずれも圧着許容部３０Ａにおける被覆圧着許容範囲３０Ａｃに幅方向Ｙに沿って形成している。後方バレル被係合溝３６ｂは、長尺バレル片３２Ａａ内面において、長手方向Ｘに後方バレル係合溝３６ａの溝幅よりも僅かに狭い所定間隔を隔てて互いに平行に３本形成している。
【００９９】
これら３本の後方バレル係合溝３６ａの間には、該後方バレル係合溝３６ａに対して凸状の部分を有し、該凸状の部分を、後方バレル係合突部３６ｂ’に設定している。
【０１００】
一方、後方バレル係合溝３６ａは、短尺バレル片３２Ａｂの外面において幅方向Ｙに沿って形成し、長手方向Ｘに所定間隔を隔てて互いに平行に２本形成している。後方バレル係合溝３６ａは、長手方向Ｘにおいて、後方バレル係合突部３６ｂ’と一致する位置に形成している。
【０１０１】
このような構成の雌型圧着端子１０は、銅合金条１００を雌型圧着端子１０の展開形状に対応する端子形状に打ち抜いて、折り曲げ加工を施して立体形状で構成し、以下に示す製造工程を経ることで圧着許容部３０Ａに電線先端部２００ａを圧着し、圧着接続構造体１を構成する（図１，２）。
【０１０２】
コネクタボックス部２０を立体形状とした雌型圧着端子１０を電線先端部２００ａに圧着し、圧着接続構造体１を構成する製造方法について図６を用いて以下に説明する。  
なお、図６は、圧着接続構造体１を製造する各工程の様子を該各工程における図２（ａ）中のＢ−Ｂ線に対応する端面図により模式的に示した図であり、図６（ａ）は後述する端子圧着工程、図６（ｂ）は後述する圧縮プレス工程、図６（ｃ）は後述する外側バレル片折返し工程の説明図である。
【０１０３】
詳しくは、圧着接続構造体１は、端子圧着工程と圧縮プレス工程と外側バレル片折返し工程とを経て製造する。  
図６（ａ）に示す端子圧着工程は、上方に配置したバレル圧着型５１と、該バレル圧着型５１に下側で対向するバレル底面保持型７１とのプレスにより、圧着許容部３０Ａを第１圧着状態の圧着部３０１（図６（ｂ））として構成する工程である。
【０１０４】
バレル底面保持型７１は、圧着許容部３０Ａのバレル底面３１を嵌め込んだ状態で保持可能に凹状に構成している。  
バレル圧着型５１は、バレル底面保持型７１との対向面に凹状部分５２を形成するとともに、該凹状部分５２の壁面に、電線先端部２００ａを囲繞するようにバレル片３２の圧着を案内する圧着案内面５３を形成している。
【０１０５】
圧着案内面５３は、バレル圧着型５１の凹状部分５２において幅方向Ｙの一方側に凹状に形成した外側バレル片圧着案内面５３ａと、幅方向Ｙの他方側に凹状に形成した内側バレル片圧着案内面５３ｂとで構成している。  
外側バレル片圧着案内面５３ａを形成する凹状の壁面は、内側バレル片圧着案内面５３ｂを形成する凹状の壁面よりも曲率が小さくなる弧状に形成している。
【０１０６】
端子圧着工程では、まず、図６（ａ）に示すように、雌型圧着端子１０を、バレル底面保持型７１によってバレル底面３１を下側から保持した状態で、被覆電線２００を、雌型圧着端子１０に対して、長手方向Ｘの前方側から後方側へ順に、電線先端部２００ａの電線露出部２０１ａと圧着許容部３０Ａの導体圧着許容範囲３０Ａｂとが一致するとともに、電線先端部２００ａの絶縁被覆２０２と圧着許容部３０Ａの被覆圧着許容範囲３０Ａｃとが一致するように配置する。
【０１０７】
そして、バレル底面保持型７１に対してバレル圧着型５１を降下させると、圧着許容部３０Ａの短尺バレル片３２Ａｂは、バレル圧着型５１の内側バレル片圧着案内面５３ｂの曲面形状に沿って徐々に変形し、電線先端部２００ａを囲繞するように案内され、内側バレル片３２ｂとして構成される。
【０１０８】
一方、圧着許容部３０Ａの長尺バレル片３２Ａａは、バレル圧着型５１の外側バレル片圧着案内面５３ａの曲面形状に沿って徐々に変形し、内側バレル片３２ｂに対して外側から重ね合わさった状態で電線先端部２００ａを囲繞するように案内され、外側バレル片３２ａとして構成される。  
上述した端子圧着工程により、圧着許容部３０Ａは、第１圧着状態の圧着部３０１（図６（ｂ））として構成することができる。
【０１０９】
続いて行う圧縮プレス工程は、図６（ｂ）に示すように、上方に配置したバレル片プレス型５４とバレル底面保持型７１とのプレスにより、第１圧着状態の圧着部３０１を第２圧着状態の圧着部３０２（図６（ｃ））として構成する工程である。
【０１１０】
バレル片プレス型５４は、先端部５４ａの幅が第１圧着状態の圧着部３０１よりも幅狭に構成している。  
端子圧着工程では、まず、図６（ｂ）に示すように、バレル底面保持型７１に対してバレル圧着型５１を降下させ、バレル片プレス型５４の先端部５４ａによって、第１圧着状態の圧着部３０１の上部の中間部分をプレスすることにより、第１圧着状態の圧着部３０１の上部は、幅方向Ｙにおいてバレル片３２の中間部分を凹状に圧縮変形する。
【０１１１】
これにより、内側バレル片３２ｂに突状部３８を構成することができる。突状部３８は、バレル底面３１と内側バレル片３２ｂとの境界部分において鋭角状に折り曲がって外側へ向けて突出する部分であり、バレル底面３１と内側バレル片３２ｂとの境界部分は、バレル境界溝３４を形成することによって薄肉に形成しているため、変形し易く、該鋭角状に変形した境界部分を突状部３８として構成することができる。
【０１１２】
また、第１圧着状態の圧着部３０１の上部の中間部分をプレスすることにより、バレル重合部分Ｄにおける外側バレル片３２ａの先端部分が内側側バレル片３２ｂに対して跳ね上がるようにして離間し、該外側バレル片３２ａの先端部分に外側離間先端片３７が構成される。
【０１１３】
なお、バレル片プレス型５４は、図示しないが、第１圧着状態の圧着部３０１の長手方向Ｘにおいてバレル間圧着許容範囲３０Ａａ、導体圧着許容範囲３０Ａｂ及び、被覆圧着許容範囲３０Ａｃのそれぞれに対応する箇所ごとに先端部の突出長さが異なるように形成してもよい。
【０１１４】
上述した端子圧着工程により、第１圧着状態の圧着部３０１は、第２圧着状態の圧着部３０２（図６（ｃ））として構成することができる。  
続いて行う外側バレル片折返し工程は、図６（ｃ）に示すように、上方に配置した外側バレル片折返し型６４とバレル底面保持型７１とのプレスにより、第２圧着状態の圧着部３０２を完成状態の圧着部３０（図６（ｄ））として構成する工程である。
【０１１５】
外側バレル片折返し型５５は、先端側のバレル底面保持型７１との対向面に、第２圧着状態の圧着部３０２に嵌め込み可能に、該第２圧着状態の圧着部３０２の幅よりも僅かに大きな凹状部分５６を有し、該凹状部分５６の幅方向Ｙの両側部分に、下方へ向けて突状の突起部５７が構成している。なお、凹状部分５６の上面は、幅方向Ｙの中間部分が下方へ緩やかに突出した凸形状をしている。
【０１１６】
外側バレル片折返し工程では、図６（ｃ）に示すように、バレル底面保持型７１に対して外側バレル片折返し型５５を降下させ、外側バレル片折返し型５５の凹状部分５６によって、第２圧着状態の圧着部３０２を覆うようにしてプレスする。
【０１１７】
これにより、幅方向Ｙの右側の突起部５７が外側離間先端片３７を内側バレル片３２ｂの側へ近接するようプレスし、外側バレル片３２ａに、突状部３８を巻き込むように折り返して締め付ける折返し締付部３９を構成する。
【０１１８】
以上により、図６（ｄ）及び、一部を拡大した図６（ｅ）に示すように、第２圧着状態の圧着部３０２を倒位の三日月形状をした完成状態の圧着部３０として構成することができる。
【０１１９】
また、上述した製造方法により、圧着許容部３０Ａにおけるバレル間圧着許容範囲３０Ａａにおいてバレル底面３１とバレル片３２とが圧着し、図２（ａ），（ｂ）に示すように、バレル間圧着部３０ａを構成することができる。  
このとき、図２（ｅ）に示すように、前方バレル係合溝３５ａに前方バレル係合突部３５ｂ’が食い込み、互いに係合する。
【０１２０】
さらに、図２（ａ），（ｃ）に示すように、圧着許容部３０Ａにおける導体圧着許容範囲３０Ａｂにおいて導体露出部２０１ａに対して圧着許容部３０Ａが圧着し、導体圧着部３０ｂを構成することができる。  
このとき、導体係合溝３３にアルミニウム芯線２０１が食い込み、導体露出部２０１ａを係合する。
【０１２１】
さらにまた、圧着許容部３０Ａにおける被覆圧着許容範囲３０Ａｃにおいて絶縁被覆２０２の先端が圧着し、被覆圧着部３０ｃを構成することができる。  
このとき、図２（ｆ）に示すように、外側バレル片３２ａと内側バレル片３２ｂとのバレル重合部分Ｄにおいて、後方バレル係合溝３６ａに後方バレル係合突部３６ｂ’が食い込み、互いに係合する。
【０１２２】
以下では、他の実施形態における圧着接続構造体について説明する。  
但し、以下で説明する構成のうち、上述した第１実施形態における圧着端子付電線１と同様の構成については、同一の符号を付して、その説明を省略する。
【０１２３】
（第２実施形態）  
第２実施形態の圧着接続構造体１ｓは、図７（ｄ）に示すような圧着部３０ｓを備えている。  
なお、図７（ｄ）は、後述する図７（ｃ）中のＸ５部拡大図であり、導体露出部２０１ａ及び、該導体露出部２０１ａを圧着した第２実施形態の導体圧着部３０ｓｂの断面図である。
【０１２４】
圧着部３０ｓは、上部において外側バレル片３２ａと内側バレル片３２ｂとのバレル重合部分Ｄを、圧着部３０ｓの半径方向の外側へ突出した形状で構成している。
【０１２５】
バレル重合部分Ｄにおける内側バレル片３２ｂは、上方に突出し、先端部が下方へ反り返った形状で構成している。また、下方へ突出した内側バレル片３２ｂの先端部は、突状部４１として構成している。
【０１２６】
一方、バレル重合部分Ｄにおける外側バレル片３２ａは、先端へ進むに連れ、内側バレル片３２ｂを外側から取り巻くように内側バレル片３２ｂに沿って配置した後、内側バレル片３２ｂの突状部４１（先端部）を巻き込むように折り返した折返し締付部４２を構成し、外側バレル片３２ａの先端部分が上方へ突出した形状で構成している。
【０１２７】
また、第２実施形態の圧着部３０ｓのバレル底面３１及び、バレル片３２には、上述した導体係合溝３３、前方バレル係合溝部３５及び、後方バレル係合溝部３６を形成しているが、バレル境界溝３４を形成していない。
【０１２８】
第２実施形態の圧着接続構造体１ｓの製造方法の中でも特に、圧着部３０ｓの製造方法を、図７（ａ），（ｂ），（ｃ）を用いて説明する。  
なお、図７は、圧着接続構造体１ｓを製造する各工程を圧着部３０ｓの断面により模式的に示した図である。図７（ａ）は後述する端子圧着工程の説明図を示し、図７（ｂ）は後述する締め付け工程の説明図を示し、図７（ｃ）は製造直後の圧着部３０ｓの断面図を示す。
【０１２９】
圧着接続構造体１ｓは、端子圧着工程と締め付け工程とによって製造する。  
端子圧着工程では、上方に配置したバレル圧着型６１と、該バレル圧着型６１に下側で対向するバレル底面保持型７１とのプレスにより、圧着許容部３０Ａを第１圧着状態の圧着部３０１ｓ（図７（ａ））として構成する工程である。
【０１３０】
バレル底面保持型７１は、圧着許容部３０Ａのバレル底面３１を嵌め込んだ状態で保持可能に凹状に構成している。  
バレル圧着型６１は、図７（ａ）に示すように、バレル底面保持型７１との対向面に、凹状部６２を形成し、該凹状部６２の壁面は、上方へ向けて電線先端部２００ａにおける長手方向Ｘの各部分の外周形状に対応する曲率で形成した凹状の第１案内面６２ａと、該第１案内面６２ａの幅方向Ｙの中間部分において、バレル重合部分Ｄの幅を有して上方へ凹状の第２案内面６２ｂとの連続形状で形成している。
【０１３１】
端子圧着工程では、まず、図７（ａ）に示すように、圧着許容部３０Ａの導体圧着許容範囲３０Ａｂに電線露出部２０１ａを配置し、その状態で、バレル底面保持型７１に対してバレル圧着型６１を降下させると、圧着許容部３０Ａの長尺バレル片３２Ａａと短尺バレル片３２Ａｂとによって、バレル圧着型６１の第１案内面６２ａに沿って徐々に変形し、電線先端部２００ａ（導体露出部２０１ａ）を囲繞することができる。
【０１３２】
さらに、長尺バレル片３２Ａａと短尺バレル片３２Ａｂとの先端側部分は、第２案内面６２ｂに沿って徐々に変形し、図７（ｂ）に示すように、電線先端部２００ａの上部に、導体露出部２０１ａの半径方向の外側、すなわち上方に突出したバレル重合部分Ｄを構成することができる。
【０１３３】
詳しくは、バレル重合部分Ｄにおいて内側バレル片３２ｂの先端部は、上方に突出した突状部４１として形成するとともに、外側バレル片３２ａの先端側には、突状部４１を巻き込むように下方へ折り返した折返し部４２ａを構成することができる。  
上述した端子圧着工程により、圧着許容部３０Ａは、第１圧着状態の圧着部３０１ｓ（図７（ｂ））として構成することができる。  
圧着部３０１ｓは、バレル重合部分Ｄを、該バレル重合部分Ｄの基端部Ｄａ（付け根部分）から電線先端部２００ａの半径方向の外側へ突出した構成である。
【０１３４】
詳しくは、圧着部３０１ｓは、突状部４１を電線先端部２００ａの半径方向の外側へ突出させて構成するとともに、折返し部４２ａ（折返し締付部４２ａ）を、突状部４１を巻き込むようにして外側バレル片としての長尺バレル片３２Ａａを電線先端部２００ａの半径方向の外側から内側へ折り返して締め付けた締付け形態とし、且つ、長尺バレル片３２Ａａにおけるバレル重合部分Ｄに構成している。
【０１３５】
続いて行う締め付け工程は、図７（ｂ）に示すように、上方に配置した外側バレル片折返し型６４とバレル底面保持型７１とのプレスにより、第１圧着状態の圧着部３０１ｓを完成状態の圧着部３０ｓとして構成する工程である。
【０１３６】
外側バレル片折返し型６４は、図７（ｂ）に示すように、先端側のバレル底面保持型７１との対向面に、第１圧着状態の圧着部３０１ｓに嵌め込み可能に第１圧着状態の圧着部３０１ｓの幅よりも大きな凹状部分６５を有し、凹状部分６５の壁面を、幅方向Ｙの一方側から他方側（図７（ｂ）中の左側から右側）へ徐々に曲率が大きくなる第１案内面６５ａと、幅方向Ｙの他方側に略上下方向に沿った形状の第２案内面６５ｂとで連続した形状で形成している。
【０１３７】
外側バレル片折返し工程では、図７（ｂ）に示すように、バレル底面保持型７１に対して外側バレル片折返し型６４を降下させ、第１案内面６５ａに接触した折返し部４２ａを、第１案内面６５ａから第２案内面６５ｂに沿って案内することで反転して折り返し、バレル重合部分Ｄにおける折返し部４２ａと突状部４１との基部が一体に反転するように折り曲げる。これにより、突状部４１を折返し部４２ａにより締め付けることができ、折返し部４２ａを折返し締付部４２（図７（ｃ））として構成することができる。
【０１３８】
以上により、図７（ｃ）及び、図７（ｃ）中のＸ５部を拡大した図７（ｄ）に示すように、第１圧着状態の圧着部３０１ｓを完成圧着状態の圧着部３０ｓとして構成することができる。  
圧着部３０ｓは、バレル重合部分Ｄを、該バレル重合部分Ｄの基端部Ｄａ（付け根部分）から電線先端部２００ａの半径方向の外側へ突出した構成である。
【０１３９】
詳しくは、圧着部３０ｓは、バレル重合部分Ｄに、短尺バレル片３２Ａｂと長尺バレル片３２Ａａとを一体に電線先端部２００ａの半径方向の外側から内側へ折り返した折返し部４２ａを構成するとともに、突状部４１を電線先端部２００ａの半径方向の内側へ突出させて構成している。圧着部３０ｓは、折返し締付部４２を、突状部４１を巻き込むようにして長尺バレル片３２Ａａを電線先端部２００ａの半径方向の内側から外側へ折り返して締め付けた締付け形態とし、且つ、長尺バレル片３２Ａａにおける折返し部４２ａよりも該長尺バレル片３２Ａａが突出する突出方向ｄ１の先端側に構成している。
【０１４０】
なお、上述した端子圧着工程により製造した第１圧着状態の圧着部３０１ｓは、折返し部４２ａを折返し締付部４２として構成していないため、完成圧着状態の圧着部３０ｓよりも、止水性は劣るものの、上述したように、折返し部４２ａは、突状部４１を巻き込むように下方へ折り返した構成であるため、この構成によっても、該圧着部３０１ｓのバレル重合部分Ｄにおける止水性を確保することができる。そして、この第１圧着状態の圧着部３０１ｓは、締め付け工程を行わない分、容易に製造できるというメリットを有する。
【０１４１】
また、上述した圧着接続構造体１，１ｓには、上述した構成に限らず、他の付加的な構成を付加することができる。  
例えば、図示しないが、圧着部３０，３０ｓにおける外側バレル片３２ａに熱処理部を形成してもよい。
【０１４２】
詳しくは、図６（ｃ）に示すように、圧着接続構造体１の製造工程における外側バレル片折返し工程において外側バレル片折返し型５５が降下して最下点に達した状態で、第１圧着状態の圧着部３０１をプレスしている最中、或いは、プレスが完了して外側バレル片折返し型５５が上昇した直後に、圧着部３０Ａｂの内側バレル片３２ｂに重合した状態の外側バレル片３２ａに対してＹＡＧレーザーを照射するなどの加熱処理を施すことで該外側バレル片３２ａに熱処理部（焼鈍部）を形成することができる。
【０１４３】
上述した加熱処理を施すことにより、雌型圧着端子１０の外側バレル片３２ａの靱性が改善し、長期間に亘って使用しても、外側バレル片３２ａは、内側バレル片３２ｂに対して重なり合い、折返し締付部３９により突状部３８を巻き込むように折り返して締め付けた形状に保つことができる。  
なお、熱処理部は、第１実施形態の圧着接続構造体１の外側バレル片３２ａに形成するに限らず、圧着部３０の外側バレル片３２ａ以外の部分に形成してもよい。
【０１４４】
また、熱処理部は、第２実施形態の圧着部３０ｓの例えば、長尺バレル片３２Ａａの折返し締付部４２や、第１圧着状態の圧着部３０１ｓの例えば、長尺バレル片３２Ａａの折返し部４２ａに対して形成してもよい。
【０１４５】
詳しくは、熱処理部を、第２実施形態の圧着部３０ｓの例えば、長尺バレル片３２Ａａの折返し締付部４２に形成する場合には、図７（ｂ）に示したように、締め付け工程において外側バレル片折返し型６４とバレル底面保持型７１とのプレスを行う直前から最中にかけての少なくとも所定の間に、長尺バレル片３２Ａａにおける折返し締付部４２となる部分に相当する部分を加熱する加熱処理工程を行うことで形成することができる。
【０１４６】
また、熱処理部を、第１圧着状態の圧着部３０１ｓの例えば、長尺バレル片３２Ａａの折返し部４２ａに形成する場合には、図７（ａ）に示したように、端子圧着工程においてバレル圧着型６１とバレル底面保持型７１とのプレスを行う直前から最中にかけての少なくとも所定の間に、長尺バレル片３２Ａａにおける折返し部４２ａとなる部分に相当する部分を加熱する加熱処理工程を行うことで形成することができる。
【０１４７】
上述した加熱処理を施すことにより、雌型圧着端子１０の長尺バレル片３２Ａａの靱性が改善し、長期間に亘って使用しても、長尺バレル片３２Ａａは、短尺バレル片３２Ａｂに対して重なり合い、折返し部４２ａや折返し締付部４２により突状部４１を巻き込むように折り返して締め付けた形状に保つことができる。
【０１４８】
また、他の実施形態として、上述した圧着接続構造体１，１ｓにおける外側バレル片３２ａと内側バレル片３２ｂとのバレル重合部分Ｄにシール層を形成してもよい。  
例えば、圧着部３０ｔ，３０ｓｔにシール層を形成した圧着接続構造体１ｔ，１ｓｔの場合は、例えば、図８（ａ），（ｂ），（ｃ）に示すように、圧着部３０ｔ，３０ｓｔに形成するシール層７８，７９は、長手方向Ｘの前後方向両端部に幅方向Ｙに沿って帯状に形成した幅方向シール層７８（７８ａ，７８ｂ）と、長尺バレル片３２ａの内面と短尺バレル片３２ｂの外面における幅方向Ｙの端部に長手方向Ｘに沿って帯状に形成した長手方向シール層７９（７９ａ，７９ｂ）とで構成することができる。  
また、シール層７８，７９は、適宜、ゴムや樹脂などのシール材で形成することができる。
【０１４９】
圧着接続構造体１ｔ，１ｔｓの圧着部３０ｔ，３０ｓｔによれば、突状部３８，４１を折返し締付部３９，４２により、巻き込むように折り返して締め付けた圧着構造を構成したとき、重合部分Ｄにおいて、シール層７８，７９が外側バレル片３２ａと内側バレル片３２ｂとの間に介在するため、圧着部３０ｔ，３０ｓｔの止水性能をより一層、向上することができる。
【０１５０】
続いて、本実施形態の圧着接続構造体１，１ｓ，１ｔ，１ｓｔの止水効果を確認するための効果確認試験として行ったエアリーク試験、耐腐食試験の２つの試験について説明する。  
それぞれの試験を行うにあたり、突状部３８，４１を折返し締付部３９，４２により締め付けた状態で圧着した圧着構造に応じて、或いは、バレル境界溝３４や熱処理部の有無に応じて実施例１から８の圧着接続構造体を表１（ａ）に示すように、サンプルとして作成するとともに、これら実施例１から８に対応させて、これら実施例１から８の圧着接続構造体のバレル重合部分Ｄにシール層７８，７９を形成した構成の実施例１Ａから８Ａの圧着接続構造体を表１（ｂ）に示すように、サンプルとして作成した。
【０１５１】
【表１】
0005767543.tif 000002
さらに、比較例１，２は、実施例１から８の圧着接続構造体の比較例として作成した圧着接続構造体であり、表１（ａ），（ｂ）に示すとおり、いずれもバレル境界溝３４や熱処理部を有しない構造である。比較例１は、外側バレル片３２ａと内側バレル片３２ｂとが重合した状態で圧着しただけの圧着構造であり、比較例２は、比較例１の圧着部のバレル重合部分Ｄにシール層７８，７９を形成した構成である。
【０１５２】
なお、シール層７８，７９は、雌型圧着端子の基材となる厚み０．２ｍｍのリフロー錫めっき銅合金条（ＦＡＳ６８０Ｈ材、古河電気工業（株）製）から端子の形状に応じた連鎖端子１１０を打ち抜いた後に、シール層として各種樹脂を塗布することで形成した。
【０１５３】
まず、エアリーク試験について説明する。  
本試験は、以下に示す手順により圧着部からエア漏れの生じ易さを示すエアリーク特性を検証することで、電線先端部２００ａに対する圧着部の圧着（密着）具合いを検証し、圧着部の先端部分における止水性の検証を行う試験である。
【０１５４】
エアリーク試験では、上述した実施例及び、比較例のサンプルのそれぞれに対して図９に示すように、これら圧着接続構造体の先端部分を容器８３に貯溜した水Ｗに浸すとともに、圧着接続構造体の先端部分と反対側の端部に、加圧空気供給装置８４の側から延びるエアチューブ８２を接続し、加圧空気供給装置８４から所定の空気圧で３０秒間、加圧空気を注入し、圧着部からの気泡の発生の有無を確認することでエア漏れが生じているか否かの検証を行った。  
なお、加圧空気供給装置８４は、レギュレータ８４ａ及び、図示しないエアコンプレッサなどで構成している。
【０１５５】
エアリーク試験の結果は、エアチューブ８２を接続し、加圧空気供給装置８４から注入する空気の所定の空気圧が２０ＫＰａの設定でも漏れない場合には、「◎」（合格）とし、２０ＫＰａで漏れるが５ＫＰａの設定の際に漏れない場合には、「○」（合格）とし、５ＫＰａで漏れるが１ＫＰａの設定の際に漏れない場合には「△」（不合格）とし、１ＫＰａで漏れる場合には「×」（不合格）としてエアリーク特性の評価を行った。
【０１５６】
続いて耐腐食試験について説明する。  
耐腐食試験では、上述した実施例及び、比較例の圧着部／アルミニウム芯線間ごとの抵抗値を初期抵抗として測定しておき、さらに、実施例及び、比較例に対して、後述する所定環境に曝露し、初期抵抗の測定と同様にして圧着部／アルミニウム芯線間ごとの抵抗値を測定し、同一サンプルの初期の抵抗値を差し引くことにより、曝露前後の圧着部／アルミニウム芯線間の抵抗上昇値を算出した。  
なお、抵抗の測定に際しては、抵抗測定器（ＡＣｍΩＨｉＴＥＳＴＥＲ３５６０、日置電機株式会社製）を用いて測定した。
【０１５７】
実施例及び、比較例を曝露する所定環境は、自動車用部品として使用する上で想定される環境の下でも十分に耐え得ることができる過酷な環境であり、塩水噴霧環境と温度変動環境とで構成している。
【０１５８】
塩水噴霧環境は、３５℃の５重量％食塩水を所定圧力で２４時間噴霧し続ける環境である。耐腐食試験では、このような塩水噴霧環境に晒すことで、導体露出部２０１ａと圧着部との圧着部分においてリーク経路の有無を検出することができる。リーク経路があれば絶縁被覆２０２と電線導体２０３との間に塩水が浸入して絶縁被覆２０２中の電線導体２０３が腐食することになる。
【０１５９】
温度変動環境は、１時間の前半と後半とを３０分ずつそれぞれ−４０℃、１２０℃の温度設定に保つ１サイクルからなる温度サイクルを２４サイクル繰り返す。このような温度変動環境は、導体露出部２０１ａと圧着部との圧着部分には、アルミニウム導体と端子材料それぞれの熱膨張に基づく応力分布が生じ、変化を受け易くなるため、導体露出部２０１ａと圧着部との間に隙間が生じ易くなる苛酷な環境であり、耐腐食試験では、このような温度変動環境に晒した各サンプルに対しての耐腐食性を確認する。  
塩水噴霧を２４時間、続いて温度サイクル試験を２４時間（２４サイクル）行い、これを１単位として、合計５単位を、連続してまわす試験を行う。
【０１６０】
なお、実施例及び、比較例は、それぞれのサンプルを１０本ずつ作成しておき、耐腐食試験では、これらサンプル１０本とも抵抗上昇値が１ｍΩ未満の場合には、「◎」（合格）とし、サンプル１０本中１〜１０本が３ｍΩ未満であり、その他が１ｍΩ未満の場合には、「○」（合格）とし、サンプル１０本中、５本以上が１０ｍΩ以上の場合には、「×」（不合格）とし、上述した「◎」、「○」、「×」以外の場合には、「△」（不合格）として耐腐食性の評価を行った。
【０１６１】
上述した各サンプルに対して行ったエアリーク試験及び、耐腐食試験の結果は、表１（ａ），（ｂ）のとおりである。
【０１６２】
エアリーク試験の結果に着目すると、表１（ａ），（ｂ）に示すように、比較例１，１Ａの場合、「×」であり、いずれも不合格であった。  
これに対して、表１（ａ），（ｂ）に示すように、実施例１から８のエアリーク特性は、いずれも「○」であり、実施例１Ａから８Ａのエアリーク特性は、いずれも「◎」であり、全て合格であった。
【０１６３】
また、耐腐食試験の結果に着目すると、表１（ａ），（ｂ）に示すように、比較例１の場合、耐腐食性は、「×」であり、比較例１Ａの場合、「△」であり、いずれも不合格であった。  
これに対して、表１（ａ），（ｂ）に示すように、実施例１から８の耐腐食性は、「○」、或いは「◎」であり、実施例１Ａから８Ａの耐腐食性は、いずれも「◎」であり、全て合格であった。
【０１６４】
上述したエアリーク試験及び、耐腐食試験の結果より、内側バレル片３２ｂと外側バレル片３２ａとを重合しただけの構成と比較して格段に優れた止水性能が得られることを確認できた。
【０１６５】
特に、実施例１から８に関する試験の結果より、圧着部と電線先端部２００ａとの圧着部分を、例えば、止水用の樹脂やゴムなどのシール材で封止せずとも、優れた止水性能を得ることができることを確認することができた。
【０１６６】
また、実施例１Ａから８Ａに関する試験の結果より、シール層７８，７９を適用することにより、止水性能は向上し、実施形態１、２の圧着構造とシール材とを組み合わせた構成とすることで特に優れた止水性能が得られることを確認できた。
【０１６７】
さらに、実施例４や実施例８のように、圧着部にバレル境界溝３４及び、熱処理部を形成した圧着接続構造体の場合、シール層７８，７９を形成せずとも、耐腐食試験が「◎」となり、過酷な環境の下に曝露しても、折返し締付部３９，４２により、突状部３８，４１をしっかりと巻き込むように折り返して締め付けた状態に保つことができ、優れた止水性能を確保できることを確認できた。
【０１６８】
この発明の構成と、上述の実施形態との対応において、この発明のバレル片は、上述した実施形態の長尺バレル片３２Ａａ、短尺バレル片３２Ａｂ、或いは、左バレル片３２ａ，右バレル片３２ｂに対応し、
以下同様に、
圧着端子は、雌型圧着端子１０，１０ｓ，１０ｔ，１０ｓｔに対応し、
請求項３に記載の圧着部における他の部分と比較して薄い肉厚で形成した構成は、バレル境界溝３４に対応し、
係合部は、前方バレル係合溝３５ａ及び、前方バレル係合突部３５ｂ’に対応し、
請求項１２に記載の第３圧着状態の圧着部は、完成状態の圧着部３０に対応し、
請求項９に記載のバレル重合部分Ｄを備えた圧着部、及び、請求項１５に記載の第１圧着状態の圧着部は、第１圧着状態の圧着部３０１ｓに対応し、
請求項１０に記載のバレル重合部分Ｄを備えた圧着部、及び、請求項１７に記載の第２圧着状態の圧着部は、完成状態の圧着部３０ｓに対応し、
請求項１１に記載のバレル重合部分Ｄを備えた圧着部、及び、請求項１８に記載の第２圧着状態の圧着部は、完成状態の圧着部３０ｗに対応し、
接続構造体は、圧着接続構造体１，１ｓ，１ｔ，１ｓｔ，１ｖ，１ｗに対応するも、
この発明は、上述の実施形態の構成のみに限定されるものではなく、多くの実施の形態を得ることができる。
【０１６９】
例えば、図１０（ａ），（ｂ），（ｃ）に示すように、圧着接続構造体１ｖに備えた雌型圧着端子１０ｖは、バレル底面３１に対して幅方向Ｙの各側に配置したバレル片３２ｖ（右側バレル片３２ｖａと左側バレル片３２ｖｂ）を同じ突出長さで形成し、圧着許容部３０ｖＡを幅方向の中央部分の縦断面視Ｕの字形状で形成することができる。
【０１７０】
上述した雌型圧着端子１０ｖの圧着許容部３０ｖＡを圧着した圧着部３０ｖの場合、バレル片３２を長尺バレル片３２Ａａと短尺バレル片３２Ａｂとで構成した上述した圧着部１０と比較して重合部分が少なくなるが、このような圧着部３０ｖであっても、図１０（ｃ）に示すように、重合部分を確実に構成することができる。さらに、右側バレル片３２ｖａに突状部３８を構成することができるとともに、左側バレル片３２ｖｂに折返し締付部３９を構成することができる。
【０１７１】
なお、図１０（ａ）（ｂ）は、縦断面視Ｕの字形状の圧着許容部３０ｖＡを備えた雌型圧着端子１０ｖのそれぞれ外観図、背面図であり、図１０（ｃ）は、縦断面視Ｕの字形状の圧着許容部３０ｖＡを圧着した圧着部３０ｖ及び、導体露出部２０１ａの断面図である。
【０１７２】
また、他の実施形態として、圧着接続構造体は、第２実施形態の圧着接続構造体１ｓの構成に限らず、図１１（ｃ）に示す圧着接続構造体１ｗのように、圧着部３０ｗは、バレル重合部分Ｄにおいて、内側バレル片３２ｂの突状部４１（先端）が下方ではなく、導体露出部２０１ａの半径方向に対して直交方向（接線方向）を向いた形状で形成することができる。
【０１７３】
詳しくは、圧着部３０ｗは、バレル重合部分Ｄを、該バレル重合部分Ｄの基端部Ｄａ（付け根部分）から電線先端部２００ａの半径方向に対して直交方向の外側へ突出させて構成し、突状部４１を導体露出部２０１ａの半径方向に対して直交方向へ突出させて構成し、折返し締付部４２を、突状部４１を巻き込むようにして外側バレル片３２ａを前記直交方向の外側から内側へ折り返して締め付けた締付け形態とし、且つ、外側バレル片３２ａにおけるバレル重合Ｄ部分に構成した構成である。
【０１７４】
このような圧着部３０ｗは、第２実施形態の圧着接続構造体１ｓを製造する際に、端子圧着工程で用いた外側バレル片折返し型６４（図７（ｂ））の凹状部分６５の形状を適宜、変更した形状の型を用いることで製造することができる。
【０１７５】
例えば、図１１（ａ）（ｂ）に示すように、外側バレル片折返し型６４ｗの凹状部分６５ｗの深さを外側バレル片折返し型６４の凹状部分６５と比較して浅くし、該凹状部分６５ｗの壁面を、底面を略水平とした案内面６５ｗａで形成し、端子圧着工程において、このような外側バレル片折返し型６４ｗを用いることで、第１圧着状態の圧着部３０１を上述した形状の完成状態の圧着部３０ｗとして構成することができる。
【０１７６】
なお、図１１（ａ），（ｂ）は、他の実施形態に係る圧着接続構造体１ｗの製造方法の一部の説明図を示し、図１１（ｃ）は、図１１（ｂ）中のＸ６部拡大図を示している。
【０１７７】
また、他の実施形態として、バレル境界溝３４は、バレル片とバレル底面との境界部分が折り曲げ易い形状であれば、すなわち、他の部分と比較して薄肉であれば、上述した構成に限らず、様々な構成とすることができる。
【０１７８】
例えば、図１２（ａ）に示すように、バレル境界溝３４ａは、圧着許容部３０ｍＡの外面が凹状となるよう形成してもよい。また、図１２（ｂ）に示すように、バレル境界溝３４ｂは、圧着許容部３０ｎＡの外面がバレル片３２とバレル底面３１との境界部分から幅方向端部にかけての全体を薄肉になるよう形成してもよい。
【０１７９】
その他にも図示しないが、導体係合溝３３、バレル境界溝３４、前方バレル係合溝部３５、後方バレル係合溝部３６は、圧着時において周方向に沿った形状となるような形状に限らず、スパイラル状となる形状など、様々な形状で構成することができる。
【０１８０】
最後に、上述した圧着部３０，３０１ｓ，３０ｓ，３０ｗについての特性の違いについて簡単に説明する。  
圧着部３０，３０１ｓ，３０ｓ，３０ｗのバレル片３２，３２同士が重合しているバレル重合部分Ｄは、環境負荷を与えた際のリーク経路となり得る。リーク性は、上述したエアリーク試験の封止可能圧力、及び、上述した耐腐食試験、すなわち、環境試験（塩水・温度サイクル）の暴露時間・回数により見極めることができる。
【０１８１】
リークを起こさない能力、すなわち、封止能力は、主に以下の（Ａ），（Ｂ）に依存する。  
（Ａ）バレル片３２，３２同士が対面しているバレル重合部分Ｄにおける、圧着部３０，３０１ｓ，３０ｓ，３０ｗの外界から中の電線導体２０３までの総距離が長いこと  
（Ｂ）バレル重合部分Ｄにおいてバレル片３２，３２同士が対面する圧力が高いこと  
これらの点を勘案すると、図７（ｃ）の圧着部３０ｓは、図７（ｂ）の圧着部３０１ｓに対してバレル重合部分Ｄをさらに巻く処置をしたものであり、（Ａ），（Ｂ）の観点でともに図７（ｂ）の圧着部３０１ｓを上回る大きな効果を得ることができる。
【０１８２】
これに対して、図７（ｂ）の圧着部３０１ｓは、図７（ｃ）の圧着部３０ｓと比較してバレル重合部分Ｄが、径方向の外側へ突出しない形状であるため、コネクタキャビティに確実に装着することができ、また、コネクタのサイズ、形状を拡大することなくコネクタに対して装着できるという効果を得ることができる。
【０１８３】
また、図１１（ｃ）の圧着部３０ｗは、バレル重合部分Ｄの根元部分を折り込む処理を施したものであるため、図７（ｃ）の圧着部３０ｓと比較して（Ａ）による効果が若干向上し、（Ｂ）による効果について格段に上回ることができる。
【０１８４】
さらに、図１１（ｃ）の圧着部３０ｗは、図７（ｃ）の圧着部３０ｓと比較してバレル重合部分Ｄが、径方向の外側へ突出しない形状であるため、コネクタキャビティに確実に装着することができ、また、コネクタのサイズ、形状を拡大することなくコネクタに対して装着できるという効果も得ることができる。  
これに対して、図７（ｃ）の圧着部３０ｓは、図１１（ｃ）の圧着部３０ｗと比較して、少ない工程で簡易に製造することができるという効果を有する。
【０１８５】
また、図６（ｄ）の圧着部３０は、図７（ｂ）の圧着部３０１ｓと比較して一回の折り返しにより、バレル重合部分Ｄを構成できる点で類似し、電線サイズが同一ならば，両者とも略同程度の（Ａ）による効果を奏することができる。  
但し、図６（ｄ）の圧着部３０は、図７（ｂ）の圧着部３０１ｓと比較して少なくとも同等以上の（Ｂ）による効果を奏することができる。
【０１８６】
これに対して、図７（ｂ）の圧着部３０１ｓは、図６（ｄ）の圧着部３０よりも幅小であるため、コネクタキャビティに確実に装着することができ、また、コネクタのサイズ、形状を拡大することなくコネクタに対して装着できるという効果を得ることができる。
【符号の説明】
【０１８７】
１，１ｓ，１ｔ，１ｓｔ，１ｖ，１ｗ…圧着接続構造体
１０，１０ｓ，１０ｔ，１０ｓｔ，１０ｖ…雌型圧着端子
３０，３０ｓ，３０ｔ，３０ｓｔ，３０ｖ，３０ｗ…圧着部
３０Ａ，３０ｖＡ，３０ｍＡ，３０ｎＡ…圧着許容部
３１…バレル底面
３２…バレル片
３２Ａａ…長尺バレル片
３２Ａｂ…短尺バレル片
３２ａ…外側バレル片
３２ｂ…内側バレル片
３４，３４ａ，３４ｂ…バレル境界溝
３５…前方バレル係合溝部
３５ａ…前方バレル係合溝
３５ｂ’…前方バレル係合突部
３６…後方バレル係合溝部
３６ａ…後方バレル係合溝
３６ｂ’…後方バレル係合突部
３７…外側離間先端片
３８Ａ…バレル折り曲げ部分
３８，４１…突状部
３９，４２…折返し締付部
２００…被覆電線
２００ａ…電線先端部
２０３…電線導体
２０１ａ…導体露出部
２０２…絶縁被覆
５１…バレル圧着型
７１…バレル底面保持型
３０１，３０１ｓ…第１圧着状態の圧着部
５３…圧着案内面
５３ａ…外側バレル片圧着案内面
５３ｂ…内側バレル片圧着案内面
５４…バレル片プレス型
５４ａ…バレル片プレス型の先端部
３０２…第２圧着状態の圧着部
５５…外側バレル片折返し型
６１…バレル圧着型
６４，６４ｗ…外側バレル片折返し型
Ｄ…バレル重合部分
Ｄａ…バレル重合部分の基端部
ｗ…露出長さ
Ｘ…長手方向
ｄ１…長尺バレル片の突出方向
Ｘｂ…長手方向長さ
Ｙ…幅方向
【図１】
0005767543.tif 000003
【図２】
0005767543.tif 000004
【図３】
0005767543.tif 000005
【図４】
0005767543.tif 000006
【図５】
0005767543.tif 000007
【図６】
0005767543.tif 000008
【図７】
0005767543.tif 000009
【図８】
0005767543.tif 000010
【図９】
0005767543.tif 000011
【図１０】
0005767543.tif 000012
【図１１】
0005767543.tif 000013
【図１２】
0005767543.tif 000014